(57)【要約】  油圧ショベル（１００）は、エンジン（１０）の上方を覆うエンジンフード（９）と、エンジンフード（９）内に配置される通気部材（３０）とを備える。エンジンフード（９）は、第３側板（９４）を有する。第３側板（９４）には下側通気孔群（Ｈ６）が形成されており、かつ、下側通気孔群（Ｈ６）の側方は閉塞されている。通気部材（３０）の第１開口部（３１ａ）は、下側通気孔群（Ｈ６）の内側を覆う。通気部材（３０）の第２開口部（３４ａ）は、エンジンフード（９）の内部に開放される。通気部材（３０）は、エンジンフード（９ｂ）に向かって上方に傾斜している。
2017203588.tif 000002
【特許請求の範囲】
【請求項１】
エンジンと、
前記エンジンを取り囲むエンジンカバーと、
前記エンジンカバー内に配置される通気部材と、
を備え、
前記エンジンカバーは、少なくとも１つの通気孔が形成された側板を有し、
前記側板のうち前記少なくとも１つの通気孔の側方は閉塞されており、
前記通気部材は、前記少なくとも１つの通気孔につながる第１開口部と、前記エンジンカバーの内部に開放される第２開口部とを有し、
前記通気部材は、前記エンジンカバーに向かって上方に傾斜している、
作業車両。
【請求項２】
前記側板のうち前記少なくとも１つの通気孔の下方は閉塞されている、
請求項１に記載の作業車両。
【請求項３】
前記エンジンフード内に配置される排気ガス後処理ユニットを備え、
前記第２開口部は、前記排気ガス後処理ユニットに向かって開口する、
請求項１又は２に記載の作業車両。
【請求項４】
前記通気部材は、前記第１開口部を有する囲い部と、前記第２開口部を有する筒部とを含み、
前記筒部は、前記囲い部に取り付けられる、
請求項１乃至３のいずれかに記載の作業車両。
【発明の詳細な説明】
【技術分野】
【０００１】
本発明は、作業車両に関するものである。
【背景技術】
【０００２】
従来、作業車両のエンジンを取り囲むエンジンカバー内に外気を取り込むことを目的として、エンジンカバーの側板に複数の通気孔が形成されている。特許文献１では、エンジンカバーに形成された複数の通気孔のうち一部の通気孔の内側に通気部材を配置することによって、エンジンカバー内の所望位置に外気を送り込むことが提案されている。
【先行技術文献】
【特許文献】
【０００３】
【特許文献１】国際公開第２０１５／０７９７６４号
【発明の概要】
【発明が解決しようとする課題】
【０００４】
しかしながら、特許文献１のエンジンカバーでは、エンジン停止後、エンジンカバー内の空気を通気部材によって外部に効率的に放出できなかった。【０００５】
本発明は、上述の状況に鑑みてなされたものであり、エンジン停止後にエンジンカバーの内部を効率的に冷却可能な作業車両を提供することを目的とする。
【課題を解決するための手段】
【０００６】
本発明の第１の態様に係る作業車両は、エンジンと、エンジンを取り囲むエンジンカバーと、エンジンカバー内に配置される通気部材とを備える。エンジンカバーは、少なくとも１つの通気孔が形成された側板を有する。側板のうち少なくとも１つの通気孔の側方は、閉塞されている。通気部材は、少なくとも１つの通気孔につながる第１開口部と、エンジンフードの内部に開放される第２開口部とを有する。通気部材は、エンジンカバーに向かって上方に傾斜している。【０００７】
本発明の第１の態様に係る作業車両では、側板に形成された通気孔の側方には他の通気孔が形成されておらず、通気孔周辺における外気温度の上昇を抑制できるため、通気部材の第１開口部と第２開口部の間の温度差を大きくすることができる。従って、通気部材内において第２開口部から第１開口部に向かう空気の流れを生じさせることができる。そのため、通気部材を介して、エンジンカバー内の高温の空気を通気孔から外部に放出できる。その結果、エンジン停止後であってもエンジンカバー内を効率的に冷却させることができる。【０００８】
本発明の第２の態様に係る作業車両は、第１の態様に係り、側板のうち少なくとも１つの通気孔の下方は閉塞されている。【０００９】
本発明の第２の態様に係る作業車両によれば、通気孔周辺における外気温度の上昇をより抑制できるため、通気部材内において第２開口部から第１開口部に向かう空気の流れを強めることができる。その結果、エンジンカバー内をより効率的に冷却することができる。【００１０】
本発明の第３の態様に係る作業車両は、第１又は第２の態様に係り、エンジンカバー内に配置される排気ガス後処理ユニットを備える。第２開口部は、排気ガス後処理ユニットに向かって開口する。【００１１】
本発明の第３の態様に係る作業車両によれば、エンジン停止後において、エンジンの輻射熱及び内部に滞留する高温の排気ガスによって特に高温になりやすい排気ガス後処理ユニットを集中して冷却させることができる。【００１２】
本発明の第４の態様に係る作業車両は、第１乃至第３のいずれかの態様に係り、通気部材は、第１開口部を有する囲い部と、第２開口部を有する筒部とを含む。筒部は、囲い部に取り付けられる。【００１３】
本発明の第４の態様に係る作業車両によれば、筒部の長さ及び位置を適宜変更することによって、エンジンカバー内の所望の領域をスポット的に冷却させることができる。
【発明の効果】
【００１４】
本発明によれば、エンジン停止後にエンジンカバーの内部を効率的に冷却可能な作業車両を提供することができる。
【図面の簡単な説明】
【００１５】
【図１】油圧ショベルの側面図
【図２】エンジンフードの内部構成を説明するための前方斜視図
【図３】エンジンフードの内部構成を説明するための前方斜視断面図
【図４】エンジンフードの内部構成を説明するための後方斜視断面図
【図５】通気部材の構成を説明するための分解斜視図
【図６】通気部材の構成を説明するための断面図
【発明を実施するための形態】
【００１６】
（油圧ショベル１００の構成）
図１は、油圧ショベル１００の側面図である。以下の説明において、「前」「後」「左」「右」とは、運転席から前方を見た状態を基準とする方向を示す。「車幅方向」は、「左右方向」と同義である。
【００１７】
油圧ショベル１００は、本実施形態に係る作業車両の一例である。油圧ショベル１００は、車両本体１と作業機４とを備える。
【００１８】
車両本体１は、走行体２と旋回体３とを有する。走行体２は、エンジン１０の動力によって駆動する。旋回体３は、走行体２上に載置される。旋回体３は、走行体２に対して旋回可能である。
【００１９】
旋回体３は、運転室５、機器室カバー６、エンジンカバー７及びカウンタウェイト８を有する。運転室５は、作業機４の基端部の左側に配置される。機器室カバー６は、運転室５の後方に配置される。機器室カバー６の内部には、機器室が形成されている。機器室には、燃料タンクと作動油タンクなどが収容される。
【００２０】
エンジンカバー７は、機器室カバー６の後方に接続される。エンジンカバー７の内部には、エンジン室が形成されている。エンジン室には、エンジン１０及び排気ガス後処理ユニット２０などが収容される。エンジンカバー７は、エンジン１０及び排気ガス後処理ユニット２０を取り囲む。エンジンカバー７は、側方カバー９ａとエンジンフード９ｂとを含む。側方カバー９ａは、エンジン１０の側方を取り囲む。エンジンフード９ｂは、側方カバー９ａ上に配置される。エンジンフード９ｂは、側方カバー９ａに開閉可能に取り付けられている。
【００２１】
エンジンフード９ｂは、エンジン１０及び排気ガス後処理ユニット２０の上方を覆う。排気ガス後処理ユニット２０は、エンジンフード９ｂ内に配置される。排気ガス後処理ユニット２０は、エンジン１０の上方に配置される。カウンタウェイト８は、エンジンカバー７の後方に配置される。
【００２２】
作業機４は、旋回体３の前部に取り付けられる。作業機４は、ブーム４ａ、アーム４ｂ及びバケット４ｃを有する。作業機４は、作動油の供給によって駆動される。
【００２３】
（エンジンフード９ｂの内部構成）
図２は、エンジンフード９ｂの内部構成を説明するための前方斜視図である。図３は、エンジンフード９ｂの内部構成を説明するための前方斜視断面図である。図４は、エンジンフード９ｂの内部構成を説明するための後方斜視断面図である。図２ではエンジンフード９ｂが開かれており、図３及び図４ではエンジンフード９ｂが閉じられている。
【００２４】
エンジンフード９ｂ内には、排気ガス後処理ユニット２０が収容される。排気ガス後処理ユニット２０は、ディーゼル微粒子捕集フィルタ装置２１、選択触媒還元装置２２、接続配管２３及び還元剤噴射装置２４を備える。
【００２５】
ディーゼル微粒子捕集フィルタ装置２１は、エンジン１０（図１参照）からの排気ガス中に含まれる粒子状物質をフィルタによって捕集する。本実施形態において、ディーゼル微粒子捕集フィルタ装置２１は、概ね円筒状の外形を有する。ディーゼル微粒子捕集フィルタ装置２１は、前後方向に沿って配置される。
【００２６】
選択触媒還元装置２２は、ディーゼル微粒子捕集フィルタ装置２１の下流に配置される。選択触媒還元装置２２には、ディーゼル微粒子捕集フィルタ装置２１を通過した排気ガスが導入される。選択触媒還元装置２２は、排気ガス中の窒素酸化物をアンモニアによって還元する。本実施形態において、選択触媒還元装置２２は、概ね円筒状の外形を有する。選択触媒還元装置２２は、前後方向に沿って配置される。選択触媒還元装置２２の後端部には、エンジンフード９ｂから突出する排気管２５が接続される。排気ガス後処理ユニット２０によって処理された排気ガスは、排気管２５から外部に放出される。
【００２７】
接続配管２３は、ディーゼル微粒子捕集フィルタ装置２１と選択触媒還元装置２２とを接続する。本実施形態において、接続配管２３は、ディーゼル微粒子捕集フィルタ装置２１の後端部と選択触媒還元装置２２の前端部とに接続される。
【００２８】
還元剤噴射装置２４は、接続配管２３に取り付けられる。還元剤噴射装置２４には、還元剤供給管２７が接続される。還元剤供給管２７は、図示しない尿素水タンクから送られてくる尿素水を還元剤噴射装置２４に供給する。還元剤噴射装置２４は、接続配管２３内を流れる排気ガス中に尿素水を噴射する。還元剤噴射装置２４から噴射された尿素水は、排気ガスの熱によって加水分解されてアンモニアとなる。接続配管２３内で生成されたアンモニアは、排気ガスとともに選択触媒還元装置２２に導入される。
【００２９】
ディーゼル微粒子捕集フィルタ装置２１、選択触媒還元装置２２及び還元剤噴射装置２４は、エンジン１０の駆動中及び停止後、エンジン１０の輻射熱および内部に滞留する高温の排気ガスによって高温に加熱される。
【００３０】
エンジンフード９ｂは、上板９１と、４つの側板（図２〜４では、第１側板９２、第２側板９３及び第３側板９４のみ図示）とを有する。
【００３１】
上板９１は、排気ガス後処理ユニット２０の上方に配置される。上板９１は、平面状に形成される。上板９１には、複数の通気孔Ｈ１と排気管挿通孔Ｈ２とが形成される。複数の通気孔Ｈ１には、角丸四角又は円形など様々な形状の通気孔が含まれる。エンジン１０の駆動中及び停止後、エンジンフード９ｂ内の空気は、各通気孔Ｈ１を介して外部に放出される。各通気孔Ｈ１の位置、形状及び個数は適宜変更可能である。排気管挿通孔Ｈ２には、エンジンフード９ｂが閉じられた場合に、排気管２５が挿通される。
【００３２】
第１側板９２は、上板９１の右端部から下方に延びる。第１側板９２の上半分は曲面状に形成され、第１側板９２の下半分は平面状に形成される。第１側板９２は、エンジンフード９ｂの右板である。第１側板９２は、第２側板９３と第３側板９４に連なる。第１側板９２には、図２に示すように、複数の通気孔Ｈ３が形成されている。エンジン１０の駆動中及び停止後、エンジンフード９ｂ内の空気は、各通気孔Ｈ３を介して外部に放出される。各通気孔Ｈ３の位置、形状及び個数は適宜変更可能である。
【００３３】
第２側板９３は、上板９１の前端部から下方に延びる。第２側板９３の上半分は曲面状に形成され、第２側板９３の下半分は平面状に形成される。第２側板９３は、エンジンフード９ｂの前板である。第２側板９３は、上板９１を挟んで第３側板９４と対向する。第２側板９３は、第３側板９４と同じ外形を有する。ただし、本実施形態において、第２側板９３には通気孔が形成されていない。
【００３４】
第３側板９４は、上板９１の後端部から下方に延びる。第３側板９４の上半分は曲面状に形成され、第３側板９４の下半分は平面状に形成される。第３側板９４は、エンジンフード９ｂの後板である。第３側板９４には、複数の通気孔Ｈ４が形成される。複数の通気孔Ｈ４には、図４に示すように、上側通気孔群Ｈ５と下側通気孔群Ｈ６とが含まれる。本実施形態において、第３側板９４は、エンジンカバー７の側板の一例である。
【００３５】
上側通気孔群Ｈ５は、曲面状に形成された第３側板９４の上半分に形成される。上側通気孔群Ｈ５は、５つの第１通気孔Ｈ５１、５つの第２通気孔Ｈ５２、５つの第３通気孔Ｈ５３、２つの第４通気孔Ｈ５４及び２つの第５通気孔Ｈ５５を含む。
【００３６】
５つの第１通気孔Ｈ５１は、上側通気孔群Ｈ５の最下段に形成される。５つの第１通気孔Ｈ５１は、下側通気孔群Ｈ６の上方に形成される。５つの第１通気孔Ｈ５１は、車幅方向に等間隔で形成される。５つの第１通気孔Ｈ５１の上方には、５つの第２通気孔Ｈ５２、５つの第３通気孔Ｈ５３、２つの第４通気孔Ｈ５４及び２つの第５通気孔Ｈ５５が順次形成される。エンジン１０の駆動中及び停止後、エンジンフード９ｂ内の空気は、上側通気孔群Ｈ５を介して外部に放出される。上側通気孔群Ｈ５に含まれる通気孔の位置、形状及び個数は適宜変更可能である。
【００３７】
下側通気孔群Ｈ６は、平面状に形成された第３側板９４の下半分に形成される。下側通気孔群Ｈ６は、下段通気孔Ｈ６１、５つの中段通気孔Ｈ６２及び５つの上段通気孔Ｈ６３を含む。下側通気孔群Ｈ６は、第３側板９４に形成される「少なくとも１つの通気孔」の一例である。
【００３８】
下段通気孔Ｈ６１は、下側通気孔群Ｈ６の最下段に形成される単一の通気孔である。下段通気孔Ｈ６１は、車幅方向に延びるように横長に形成される。５つの中段通気孔Ｈ６２は、下段通気孔Ｈ６１の上方に形成される。５つの中段通気孔Ｈ６２は、車幅方向に等間隔で形成される。５つの中段通気孔Ｈ６２の全幅は、下段通気孔Ｈ６１の全幅と略同じである。５つの上段通気孔Ｈ６３は、５つの中段通気孔Ｈ６２の上方に形成される。５つの上段通気孔Ｈ６３は、車幅方向に等間隔で形成される。５つの上段通気孔Ｈ６３の全幅は、下段通気孔Ｈ６１の全幅と略同じである。エンジン１０の駆動中及び停止後、エンジンカバー７内の空気は、後述する通気部材３０を介して、下側通気孔群Ｈ６から外部に放出される。下側通気孔群Ｈ６に含まれる通気孔の位置、形状及び個数は適宜変更可能である。
【００３９】
本実施形態において、第３側板９４のうち下側通気孔群Ｈ６の側方は閉塞されている。下側通気孔群Ｈ６の両隣には、他の通気孔が形成されていない。また、第３側板９４のうち下側通気孔群Ｈ６の下方は閉塞されている。下側通気孔群Ｈ６の下方には、他の通気孔が形成されていない。
【００４０】
下側通気孔群Ｈ６の内側には、通気部材３０が配置される。通気部材３０は、下側通気孔群Ｈ６に含まれる通気孔Ｈ６１〜６３を内側から覆うように配置される。通気部材３０は、第３側板９４に形成された全通気孔Ｈ４のうち下側領域の通気孔すべての内側を覆っている。
【００４１】
ここで、図５は、通気部材３０の構成を説明するための分解斜視図である。図６は、通気部材３０の構成を説明するための断面図である。
【００４２】
通気部材３０は、囲い部３１、連結板３２、２本の固定具３３、第１筒部３４及び第２筒部３５によって構成される。通気部材３０は、全体として筒状（中空状）に形成される。図６に示すように、通気部材３０の内部には、空気流路３０ａが形成されている。
【００４３】
囲い部３１は、縁の立った皿状に形成される。囲い部３１は、車幅方向に沿って横長に延びる。囲い部３１は、第３側板９４の内面９４Ｓに固定される。囲い部３１は、第３側板９４の内面９４Ｓに溶接されてもよいし、図示しない固定具によって固定されてもよい。
【００４４】
囲い部３１は、第１開口３１ａ、連結開口３１ｂ及び２つの固定孔３１ｃを有する。第１開口３１ａは、第３側板９４に向かって開口する。第１開口３１ａは、囲い部３１が第３側板９４に固定された状態において、第３側板９４の内面９４Ｓに密着する。第１開口３１ａは、第３側板９４に形成された下側通気孔群Ｈ６につながる。第１開口３１ａは、下側通気孔群Ｈ６に含まれる通気孔Ｈ６１〜Ｈ６３の内側を全体的に塞ぐように配置される。従って、第１開口３１ａは、下側通気孔群Ｈ６に含まれる全ての通気孔と、空気を流通可能な状態で繋がっている。第１開口３１ａから外部に流出する空気は、下側通気孔群Ｈ６の全ての通気孔から外部に流出可能であり、下側通気孔群Ｈ６から内部に流入する空気は、すべて第１開口３１ａに流入する。
【００４５】
囲い部３１は、縦板３１１、底板３１２、右板３１３、左板３１４及び上板３１５によって構成される。縦板３１１は、第３側板９４から離れている。縦板３１１には、連結開口３１ｂと２つの固定孔３２ａが形成される。
【００４６】
底板３１２は、縦板３１１の下端部に連なる。底板３１２は、図６に示すように、水平線に対して傾斜している。底板３１２は、第３側板９４に近いほど下方に傾いている。そして、底板３１２の先端は、下側通気孔群Ｈ６のうち下段通気孔Ｈ６１の下端部に沿って配置される。従って、下側通気孔群Ｈ６から囲い部３１に侵入した水又は塵は、下方に傾斜した底板３１２を滑り落ちて下段通気孔Ｈ６１から外部に放出される。特に、本実施形態では、図２に示したように、下側通気孔群Ｈ６が下向きになるようにエンジンフード９ｂが開くため、囲い部３１内に水又は塵が溜まったとしても、エンジンフード９ｂを開くことによって容易に排出される。
【００４７】
右板３１３は、縦板３１１の右端部に連なる。左板３１４は、縦板３１１の左端部に連なる。上板３１５は、縦板３１１の上端部に連なる。本実施形態では、底板３１２、右板３１３、左板３１４及び上板３１５によって、囲い部３１の第１開口３１ａが形成されている。
【００４８】
連結開口３１ｂと２つの固定孔３１ｃは、囲い部３１の縦板３１１に形成される。連結開口３１ｂは、第１開口３１ａよりも小径である。２つの固定孔３１ｃは、連結開口３１ｂの両側に形成される。
【００４９】
連結板３２は、連結開口３１ｂを塞ぐように配置される。連結板３２には、第１筒部３４と第２筒部３５が固定される。本実施形態において、第１筒部３４と第２筒部３５は溶接によって連結板３２に固定されているが、これに限られるものではない。連結板３２には、２つの固定孔３２ａが形成される。２つの固定孔３２ａは、第１筒部３４と第２筒部３５の両側に形成される。２本の固定具３３は、連結板３２の２つの固定孔３２ａと囲い部３１の２つの固定孔３１ｃとに挿通される。これによって、連結板３２が囲い部３１に固定される。
【００５０】
第１筒部３４は、連結板３２に固定される。第１筒部３４は、連結板３２からエンジンフード９ｂの内部に向かって延びる。第１筒部３４は、エンジンフード９ｂの内部に開放される第２開口部３４ａを有する。第２開口部３４ａは、排気ガス後処理ユニット２０に向かって開口する（図３参照）。第２開口部３４ａは、排気ガス後処理ユニット２０に隣接することが好ましい。第２開口部３４ａは、排気ガス後処理ユニット２０のうち特に冷却を要する還元剤噴射装置２４に隣接することがより好ましい。図６に示すように、第１筒部３４は、エンジンフード９ｂに向かって上方に傾斜している。そのため、通気部材３０も、エンジンフード９ｂに向かって全体として上方に傾斜している。空気流路３０ａは、第１筒部３４の第２開口部３４ａ側から囲い部３１の第１開口３１ａ側に向かって、全体として上方に傾斜している。
【００５１】
第２筒部３５は、連結板３２に固定される。第２筒部３５は、第１筒部３４の左側に隣接して配置される。第２筒部３５は、連結板３２からエンジンフード９ｂの内部に向かって延びる。第２筒部３５は、エンジンフード９ｂの内部に開放される第３開口部３５ａを有する。第３開口部３５ａは、排気ガス後処理ユニット２０に向かって開口する（図３参照）。第３開口部３５ａは、排気ガス後処理ユニット２０に隣接することが好ましい。第３開口部３５ａは、排気ガス後処理ユニット２０のうち特に冷却を要する還元剤噴射装置２４に隣接することが好ましい。第２筒部３５は、エンジンフード９ｂに向かって上方に傾斜している。そのため、通気部材３０も、エンジンフード９ｂに向かって全体として上方に傾斜している。空気流路３０ａは、第２筒部３５の第３開口部３５ａ側から囲い部３１の第１開口３１ａ側に向かって、全体として上方に傾斜している。
【００５２】
（特徴）
（１）油圧ショベル１００は、エンジン１０の上方を覆うエンジンフード９ｂと、エンジンフード９ｂ内に配置される通気部材３０とを備える。エンジンフード９ｂは、第３側板９４を有する。第３側板９４には下側通気孔群Ｈ６（「少なくとも１つの通気孔」の一例）が形成されており、かつ、下側通気孔群Ｈ６の側方は閉塞されている。通気部材３０の第１開口部３１ａは、下側通気孔群Ｈ６の内側につながる。通気部材３０の第２開口部３４ａは、エンジンフード９ｂの内部に開放される。通気部材３０は、エンジンフード９ｂに向かって上方に傾斜している。
【００５３】
このように、下側通気孔群Ｈ６の側方に通気孔が形成されておらず、下側通気孔群Ｈ６の側方に形成された通気孔から外部に熱風が放出されない。従って、下側通気孔群Ｈ６周辺における外気温度の上昇を抑制できるため、通気部材３０の第１開口部３１ａと第２開口部３４ａの間の温度差を大きくすることができる。従って、図６に示すように、通気部材３０内において第２開口部３４ａから第１開口部３１ａに向かう空気の流れ（対流）を生じさせることができる。そのため、通気部材３０を介して、エンジンカバー７内の高温の空気を下側通気孔群Ｈ６から外部に放出できる。その結果、エンジン停止後であってもエンジンカバー７内を効率的に冷却させることができる。
【００５４】
（２）エンジンフード９ｂの第３側板９４のうち下側通気孔群Ｈ６の下方は閉塞されている。
【００５５】
従って、下側通気孔群Ｈ６周辺における外気温度の上昇をより抑制できるため、通気部材３０内において第２開口部３４ａから第１開口部３１ａに向かう空気の流れを強めることができる。その結果、エンジンフード９ｂ内をより効率的に冷却することができる。
【００５６】
（３）通気部材３０の第２開口部３４ａは、排気ガス後処理ユニット２０に向かって開口する。
【００５７】
従って、エンジン停止後において、エンジン１０の輻射熱及び内部に滞留する高温の排気ガスによって特に高温になりやすい排気ガス後処理ユニット２０を集中して冷却させることができる。
【００５８】
（４）通気部材３０は、第１開口部３１ａを有する囲い部３１と、第２開口部３４ａを有する筒部３４とを含む。筒部３４は、囲い部３１に取り付けられる。
【００５９】
従って、筒部３４の長さ及び位置を適宜変更することによって、エンジンフード９ｂ内の所望の領域をスポット的に冷却させることができる。
【００６０】
（他の実施形態）
上記実施形態において、第３側板９４は、上側通気孔群Ｈ５と下側通気孔群Ｈ６を有することとしたが、これに限られるものではない。第３側板９４は、上側通気孔群Ｈ５を有していなくてもよい。
【００６１】
上記実施形態において、第３側板９４は下側通気孔群Ｈ６を有し、下側通気孔群Ｈ６には下段通気孔Ｈ６１、５つの中段通気孔Ｈ６２及び５つの上段通気孔Ｈ６３が含まれることとしたが、これに限られるものではない。第３側板９４は、少なくとも１つの通気孔を有していればよい。
【００６２】
上記実施形態において、第３側板９４のうち下側通気孔群Ｈ６の側方には通気孔が形成されず閉塞されていることとしたが、微小な通気孔であれば形成されていてもよい。具体的には、通気部材３０によって内側が塞がれている下側通気孔群Ｈ６の総開口面積よりも小さい通気孔であれば、下側通気孔群Ｈ６の側方に形成されていてもよい。この場合であっても、下側通気孔群Ｈ６周辺における外気温度の上昇への影響が軽微であるため、エンジン停止後にエンジンフード９ｂ内を効率的に冷却させることができる。このように、本明細書では、エンジンフード９ｂ内の冷却に対して実質的に影響を及ぼさない微小な通気孔が存在する場合も、「下側通気孔群Ｈ６の側方が閉塞されている」という概念に含まれるものとする。
【００６３】
上記実施形態において、第３側板９４のうち下側通気孔群Ｈ６の下方には通気孔が形成されず閉塞されていることとしたが、微小な通気孔であれば形成されていてもよい。具体的には、通気部材３０によって内側が塞がれている下側通気孔群Ｈ６の総開口面積よりも小さい通気孔であれば、下側通気孔群Ｈ６の下方に形成されていてもよい。この場合であっても、下側通気孔群Ｈ６周辺における外気温度の上昇への影響が軽微であるため、エンジン停止後にエンジンフード９ｂ内を効率的に冷却させることができる。このように、本明細書では、エンジンフード９ｂ内の冷却に対して実質的に影響を及ぼさない微小な通気孔が存在する場合も、「下側通気孔群Ｈ６の下方が閉塞されている」という概念に含まれるものとする。
【００６４】
上記実施形態では、通気部材３０を第３側板９４に取り付けることとしたが、これに限られるものではない。通気部材３０は、通気孔を有する側板に取り付けることによって上述した効果を奏するものであるため、例えば、第１側板９２に形成された通気孔Ｈ３の内側に配置しても同様の効果を得ることができる。
【００６５】
上記実施形態では、下側通気孔群Ｈ６の最下段には、車幅方向に延びる単一の下段通気孔Ｈ６１が配置されることとしたが、これに限られるものではない。下段通気孔Ｈ６１は、複数の通気孔に分かれていてもよい。
【００６６】
上記実施形態において、通気部材３０は、第１筒部３４と第２筒部３５を有することとしたが、第１筒部３４と第２筒部３５の一方だけを有していてもよい。また、第１筒部３４と第２筒部３５は、同一部材であることとしたが、別部材であってもよい。例えば、第１筒部３４と第２筒部３５の長さ及び配置を変更することによって、エンジンフード９ｂ内の別々の領域をスポット的に冷却させることができる。
【００６７】
上記実施形態において、通気部材３０は、囲い部３１、連結板３２、第１筒部３４及び第２筒部３５によって構成されることとしたが、これに限られるものではない。通気部材３０は、囲い部３１のみによって構成されていてもよい。この場合、囲い部３１の連結開口３１ｂが「第２開口」として機能する。また、囲い部３１の形状及びサイズは適宜変更可能である。また、通気部材３０は、第１筒部３４のみによって構成されていてもよい。この場合、第２開口部３４ａと反対側の開口が「第２開口」として機能する。以上の場合、囲い部３１及び第１筒部３４の形状及びサイズは適宜変更可能である。
【００６８】
上記実施形態において、通気部材３０は、第１筒部３４及び第２筒部３５を備えることとしたが、これに限られるものではない。通気部材３０は、第１筒部３４及び第２筒部３５のいずれか一方だけを備えていてもよいし、第１筒部３４及び第２筒部３５に加えてさらに１以上の筒部を備えていてもよい。
【００６９】
上記実施形態において、排気ガス後処理ユニット２０は、ディーゼル微粒子捕集フィルタ装置２１を備えることとしたが、これに限られるものではない。排気ガス後処理ユニット２０は、ディーゼル微粒子捕集フィルタ装置２１に代えてディーゼル酸化触媒（ＤＯＣ）を備えていてもよい。ディーゼル酸化触媒は、排気ガス中の窒素酸化物（ＮＯｘ）のうち一酸化窒素（ＮＯ）を低減させて二酸化窒素（ＮＯ２）を増加させる機能を有する。
【００７０】
上記実施形態では、エンジンカバー７内を効率的に冷却することを目的として、エンジンフード９ｂの第３側板９４の内側に通気部材３０を配置することとしたが、これに限られるものではない。通気部材３０は、エンジンカバー７の側板の内側に配置されていればよく、エンジンカバー７の側方カバー９ａの内側に配置されていてもよい。本実施形態において、側方カバー９ａとエンジンフード９ｂの第３側板９４は、それぞれ「エンジンカバーの側板」の一例である。
【００７１】
上記実施形態では、第１筒部３４及び第２筒部３５それぞれの断面が円形であることとしたが、矩形、多角形及び楕円などであってもよい。
【符号の説明】
【００７２】
７      エンジンカバー
９ａ      側方カバー
９ｂ      エンジンフード９１      上板
９２      第１側板
９３      第２側板
９４      第３側板
Ｈ４      通気孔
Ｈ６      下側通気孔群（少なくとも１つの通気孔の一例）
Ｈ６１    下段通気孔
Ｈ６２    中段通気孔
Ｈ６３    上段通気孔
１０      エンジン
２０      排気ガス後処理ユニット
３０      通気部材
３０ａ    空気流路
３１      囲い部
３１ａ    第１開口
３４      第１筒部
３４ａ    第２開口部
３５      第２筒部
３５ａ    第３開口部
１００    油圧ショベル（作業車両の一例）
【図１】
2017203588.tif 000003
【図２】
2017203588.tif 000004
【図３】
2017203588.tif 000005
【図４】
2017203588.tif 000006
【図５】
2017203588.tif 000007
【図６】
2017203588.tif 000008
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
エンジンと、
前記エンジンを取り囲むエンジンカバーと、
前記エンジンカバー内に配置される通気部材と、
を備え、
前記エンジンカバーは、少なくとも１つの通気孔が形成された側板を有し、
前記側板のうち前記少なくとも１つの通気孔の両側方は閉塞されており、
前記通気部材は、前記少なくとも１つの通気孔につながる第１開口部と、前記エンジンカバーの内部に開放される第２開口部とを有し、
前記通気部材は、前記エンジンカバーに向かって上方に傾斜している、
作業車両。
【請求項２】
前記側板のうち前記少なくとも１つの通気孔の下方は閉塞されている、
請求項１に記載の作業車両。
【請求項３】
前記エンジンカバー内に配置される排気ガス後処理ユニットを備え、
前記第２開口部は、前記排気ガス後処理ユニットに向かって開口する、
請求項１又は２に記載の作業車両。
【請求項４】
前記通気部材は、前記第１開口部を有する囲い部と、前記第２開口部を有する筒部とを含み、
前記筒部は、前記囲い部に取り付けられる、
請求項１乃至３のいずれかに記載の作業車両。
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
エンジンと、
前記エンジンを取り囲むエンジンカバーと、
前記エンジンカバー内に配置される通気部材と、
を備え、
前記エンジンカバーは、少なくとも１つの通気孔を含む通気孔群が形成された側板を有し、
前記側板のうち前記通気孔群の両側方は閉塞されており、
前記通気部材は、前記通気孔群に含まれる全ての通気孔につながる第１開口部と、前記エンジンカバーの内部に開放される第２開口部とを有し、
前記通気部材は、前記エンジンカバーに向かって上方に傾斜している、
作業車両。
【請求項２】
前記側板のうち前記通気孔群の下方は閉塞されている、
請求項１に記載の作業車両。
【請求項３】
前記エンジンカバー内に配置される排気ガス後処理ユニットを備え、
前記第２開口部は、前記排気ガス後処理ユニットに向かって開口する、
請求項１又は２に記載の作業車両。
【請求項４】
前記通気部材は、前記第１開口部を有する囲い部と、前記第２開口部を有する筒部とを含み、
前記筒部は、前記囲い部に取り付けられる、
請求項１乃至３のいずれかに記載の作業車両。
【請求項５】
前記囲い部は、縁の少なくとも一部が立った皿状に形成される、
請求項４に記載の作業車両。
【国際調査報告】
2017203588.tif 000009
2017203588.tif 000010